(57)【要約】【課題】画像の表示制御を適切に行うことが可能な液晶表示装置を提供することにある。【解決手段】実施形態に係る液晶表示装置は、第１のモード及び第２のモードで駆動することによって画像信号を出力するイメージセンサと、当該イメージセンサから出力された画像信号に基づいて液晶表示パネルに画像を表示する表示部とを具備する。イメージセンサは、第１のモードで駆動する場合には第１の露光時間毎に画像信号を出力し、第２のモードで駆動する場合には第２の露光時間毎に画像信号を出力する。表示部は、イメージセンサが第１のモードで駆動する場合には当該イメージセンサから出力された画像信号に基づくプログレッシブ駆動により画像を表示し、イメージセンサが第２のモードで駆動する場合には当該イメージセンサから出力された画像信号に基づくインターレース駆動により画像を表示する。【選択図】図９
2018097074.tif 000002
【特許請求の範囲】
【請求項１】
第１のモード及び第２のモードで駆動することによって画像信号を出力するイメージセンサと、
複数の表示ラインを有する液晶表示パネルを備え、前記イメージセンサから出力された画像信号に基づいて前記液晶表示パネルに画像を表示する表示部と
を具備し、
前記イメージセンサは、前記第１のモードで駆動する場合には第１の露光時間毎に画像信号を出力し、前記第２のモードで駆動する場合には前記第１の露光時間よりも短い第２の露光時間毎に画像信号を出力し、
前記表示部は、前記イメージセンサが第１のモードで駆動する場合には当該イメージセンサから出力された画像信号に基づいて前記複数の表示ラインを順次走査するプログレッシブ駆動により画像を表示し、前記イメージセンサが第２のモードで駆動する場合には当該イメージセンサから出力された画像信号に基づいて前記複数の表示ラインを飛び越し走査するインターレース駆動により画像を表示する
液晶表示装置。
【請求項２】
前記プログレッシブ駆動により前記表示部が１フレームの画像を表示するための表示動作を行う第１の期間と、前記インターレース駆動により前記表示部が１フレームの画像を表示するための表示動作を行う第２の期間とは実質同一である請求項１記載の液晶表示装置。
【請求項３】
前記イメージセンサが第２のモードで駆動する場合、当該第２のモードで駆動する前記イメージセンサから出力される画像信号の一部を間引く画像処理部を更に具備し、
前記表示部は、前記一部が間引かれた画像信号に基づいて画像を表示する
請求項２記載の液晶表示装置。
【請求項４】
前記イメージセンサは、
前記第１のモードで駆動する場合、１フレームの画像を表す画像信号を前記第１の露光時間毎に出力し、
前記第２のモードで駆動する場合、１フレームの画像を表す画像信号の一部が間引かれた画像信号を前記第２の露光時間毎に出力する
請求項２記載の液晶表示装置。
【請求項５】
前記イメージセンサが第２のモードで駆動する場合、当該イメージセンサから出力された画像信号に対して平均化処理を施す画像処理部を更に具備し、
前記表示部は、前記平均化処理が施された画像信号に基づいて画像を表示する
請求項４記載の液晶表示装置。
【請求項６】
前記イメージセンサは、
前記イメージセンサが第１のモードで駆動する場合、プログレッシブ駆動により画像信号を出力し、
前記イメージセンサが第２のモードで駆動する場合、インターレース駆動により画像信号を出力する
請求項２記載の液晶表示装置。
【請求項７】
前記液晶表示装置周辺の光の強度を検出する外光センサと接続され、
前記第１のモード及び前記第２のモードは、前記外光センサによって検出される光の強度に基づいて切り替えられる
請求項１記載の液晶表示装置。
【請求項８】
イメージセンサから出力される画像信号を入力する入力部と、
複数の表示ラインを有する液晶表示パネルを備え、前記入力された画像信号に基づいて当該複数の表示ラインを順次走査するプログレッシブ駆動及び当該複数の表示ラインを飛び越し走査するインターレース駆動により前記液晶表示パネルに画像を表示する表示部と
を具備し、
前記プログレッシブ駆動により前記表示部が１フレームの画像を表示するための表示動作を行う第１の期間と、前記インターレース駆動により前記表示部が１フレームの画像を表示するための表示動作を行う第２の期間とは実質同一である
液晶表示装置。
【請求項９】
イメージセンサから出力される画像信号を入力する入力部と、
複数の表示ラインを有する液晶表示パネルを備え、前記入力された画像信号に基づいて当該複数の表示ラインを飛び越し走査するインターレース駆動により前記液晶表示パネルに画像を表示する表示部と
を具備し、
前記液晶表示パネルは、１２０Ｈｚ以上のリフレッシュレートで駆動され、４００ｐｐｉ以上の画素密度を有する
液晶表示装置。
【発明の詳細な説明】
【技術分野】
【０００１】
本発明の実施形態は、液晶表示装置に関する。
【背景技術】
【０００２】
一般的に、例えばイメージセンサから出力される画像信号に基づいて液晶表示装置（ディスプレイ）に画像（動画像）を表示することが知られている。
【先行技術文献】
【特許文献】
【０００３】
【特許文献１】特許第５１６０８３６号公報
【発明の概要】
【発明が解決しようとする課題】
【０００４】
液晶表示装置に表示される画像の質（画質）は例えばイメージセンサ周辺の環境に依存するため、当該環境に応じて液晶表示装置における画像の表示制御を変更する場合がある。この場合、液晶表示装置における負荷または画質等の観点から画像の表示制御を適切に行う必要がある。
【０００５】
そこで、本発明が解決しようとする課題は、画像の表示制御を適切に行うことが可能な液晶表示装置を提供することにある。
【課題を解決するための手段】
【０００６】
実施形態に係る液晶表示装置は、第１のモード及び第２のモードで駆動することによって画像信号を出力するイメージセンサと、複数の表示ラインを有する液晶表示パネルを備え、前記イメージセンサから出力された画像信号に基づいて前記液晶表示パネルに画像を表示する表示部とを具備する。前記イメージセンサは、前記第１のモードで駆動する場合には第１の露光時間毎に画像信号を出力し、前記第２のモードで駆動する場合には前記第１の露光時間よりも短い第２の露光時間毎に画像信号を出力する。前記表示部は、前記イメージセンサが第１のモードで駆動する場合には当該イメージセンサから出力された画像信号に基づいて前記複数の表示ラインを順次走査するプログレッシブ駆動により画像を表示し、前記イメージセンサが第２のモードで駆動する場合には当該イメージセンサから出力された画像信号に基づいて前記複数の表示ラインを飛び越し走査するインターレース駆動により画像を表示する。
【図面の簡単な説明】
【０００７】
【図１】第１の実施形態に係る液晶表示装置の構成の一例を示すブロック図。
【図２】表示部の構成の一例を示すブロック図。
【図３】画像信号に基づく画像の表示制御について説明するための図。
【図４】本実施形態に対する比較例について説明するための図。
【図５】１２０Ｈｚプログレッシブ駆動について説明するための図。
【図６】２４０Ｈｚプログレッシブ駆動について説明するための図。
【図７】画像処理部の機能構成の一例を示すブロック図。
【図８】液晶表示装置の動作の概要を説明するためのフローチャート。
【図９】本実施形態における２４０Ｈｚインターレース駆動について説明するための図。
【図１０】本実施形態における２４０Ｈｚインターレースについて説明するための図。
【図１１】１２０Ｈｚプログレッシブ駆動における各画素の極性の一例を示す図。
【図１２】２４０Ｈｚインターレース駆動における各画素の極性の一例を示す図。
【図１３】画素密度と視距離との関係を視力別に示す図。
【図１４】第２の実施形態における２４０Ｈｚインターレース駆動について説明するための図。
【図１５】本実施形態に対する比較例について説明するための図。
【図１６】第３の実施形態における２４０Ｈｚインターレース駆動について説明するための図。
【図１７】本実施形態に対する比較例について説明するための図。
【発明を実施するための形態】
【０００８】
以下、図面を参照して、各実施形態について説明する。
【０００９】
（第１の実施形態）
図１は、第１の実施形態に係る液晶表示装置の構成の一例を示すブロック図である。図１に示すように、液晶表示装置１０は、撮像部１１、表示部１２及び画像処理部１３を備える。
【００１０】
撮像部１１は、例えばＣＣＤイメージセンサ及びＣＭＯＳイメージセンサ等のイメージセンサ（撮像素子）を含み、例えば当該撮像部１１の前方の領域（に存在する被写体）を撮像する。この撮像部１１においては例えばイメージセンサが２次元状に配列されており、当該イメージセンサの各々は、露光されることによって当該イメージセンサに照射された光量を電気信号として蓄える。撮像部１１は、所定の露光時間毎に、イメージセンサの各々に蓄えられた電気信号を画像信号として出力する。
【００１１】
表示部１２は、例えば液晶表示パネルを有し、撮像部１１（に含まれるイメージセンサ）から出力される画像信号に基づいて当該液晶表示パネルに画像を表示する。
【００１２】
画像処理部１３は、表示部１２による画像の表示を可能とするために、撮像部１１から出力される画像信号に対する画像処理を実行する。
【００１３】
なお、図１においては省略されているが、液晶表示装置１０は、例えば当該液晶表示装置１０の処理の実行に必要なプログラム、撮像部１１から出力される画像信号またはその他のデータを記憶する記憶装置等を更に備えているものとする。
【００１４】
ここで、図１に示すように、液晶表示装置１０には、当該液晶表示装置１０（撮像部１１）周辺の光（外光）の強度を検出する外光センサ２０が接続されている。
【００１５】
上記した撮像部１１（に含まれるイメージセンサ）は後述する高感度モード（第１のモード）及び高速モード（第２のモード）で駆動するように構成されており、当該イメージセンサの駆動モード（高感度モード及び高速モード）は、外光センサ２０によって検出される外光の強度（つまり、撮像部１１周辺の明暗）に基づいて切り替えられる。
【００１６】
上記したように本実施形態は各部１１〜１３を備える液晶表示装置１０として実現されるものとして説明するが、本実施形態は、例えば撮像部１１を有する撮像装置（カメラ）と表示部１２及び画像処理部１３を有する液晶表示装置とを備える画像表示システムとして実現されていても構わない。この場合、画像処理部１３が例えば撮像装置側に設けられる構成としてもよい。すなわち、本実施形態は、例えば液晶表示装置１０のような単体の装置のみではなく、複数の装置の組み合わせ（つまり、画像表示システム）として実現されていても構わない。
【００１７】
もちろん、外光センサ２０は、撮像部１１に組み込まれる構成でも構わない。また、外光センサ２０は、例えば液晶表示装置１０内に組み込まれる構成であっても構わない。
【００１８】
図２は、図１に示す液晶表示装置１０に備えられる表示部１２の構成の一例を示すブロック図である。図２に示すように、表示部１２は、信号処理部１２１、表示パネル１２２（ディスプレイ）、パネル駆動部（パネルドライバ）１２３、光源装置１２４及び光源駆動部１２５等を備える。
【００１９】
信号処理部１２１は、表示パネル１２２及び光源装置１２４の動作を制御する演算処理部である。信号処理部１２１は、表示パネル１２２を駆動するためのパネル駆動部１２３及び光源装置１２４を駆動するための光源駆動部１２５と接続されている。
【００２０】
ここで、撮像部１１から出力された画像信号は、例えばベイヤー配列と称される画素データの行列を含む。このような画像信号は、画像処理（ベイヤー変換）が実行されることによって、ＲＧＢ成分を含む画像信号に変換される。なお、この画像処理は、例えば画像処理部１３内で実行されるものとする。
【００２１】
信号処理部１２１は、上記したように画像処理が実行された画像信号を入力する。信号処理部１２１は、入力された画像信号に対して必要な処理を実行し、パネル駆動部１２３（表示パネル１２２）に出力する。
【００２２】
また、信号処理部１２１は、入力された画像信号に基づいて光源制御信号を生成し、当該光源制御信号を光源駆動部１２５に出力する。
【００２３】
表示パネル１２２は、互いに対向配置された２つの基板の間に液晶層を有し、複数の画素ＰＸが２次元のマトリクス状（行列状）に配列された構成を有する。
【００２４】
パネル駆動部１２３は、信号出力回路１２３ａ及び走査回路１２３ｂを備える。信号出力回路１２３ａは、信号線ＤＴＬによって表示パネル１２２と電気的に接続されている。信号出力回路１２３ａは、信号処理部１２１から出力された画像信号を保持し、当該画像信号を表示パネル１２２に順次出力する。
【００２５】
走査回路１２３ｂは、走査線ＳＣＬによって表示パネル１２２と電気的に接続されている。走査回路１２３ｂは、表示パネル１２２における画素を選択するためのスイッチング素子のオン及びオフを制御する。
【００２６】
光源装置１２４は、例えば表示パネル１２２の背面に配置され、当該表示パネル１２２に向けて光を照射する。
【００２７】
光源駆動部１２５は、例えば信号処理部１２１から出力される光源制御信号に基づいて光源装置１２４に供給される電流またはデューティ比を調整することにより、表示パネル１２２を照射する光の量（強度）を制御する。
【００２８】
このような表示部１２においては、パネル駆動部１２３（信号出力回路１２３ａ及び走査回路１２３ｂ）及び光源駆動部１２５の動作に応じて、光源装置１２４からの光が照射される表示パネル１２２において行状に配列されている複数の画素ＰＸ（以下、表示ラインと表記）毎に信号処理部１２１から出力された画像信号（ライン画像信号）が順次書き込まれる。これにより、画像信号に基づく画像が表示パネル１２２に表示される。なお、表示パネル１２２は複数の表示ライン（例えば、７６８表示ライン）を有し、各表示ラインに書き込まれた画像信号は、次の画像信号が書き込まれるまで当該表示ライン（画素ＰＸ）において保持（表示）される。
【００２９】
ここで、図３を参照して、上記した画像信号に基づく画像の表示制御について簡単に説明する。
【００３０】
ここでは、撮像部１１に含まれるイメージセンサが高感度モード（第１のモード）で駆動する場合を想定する。高感度モードで駆動する場合、イメージセンサは、例えば１／１２０ｓの露光時間（第１の露光時間）毎に画像信号を出力する（つまり、１２０Ｈｚの駆動周波数で駆動する）。具体的には、イメージセンサは、１／１２０ｓの露光時間に従って露光されることによって当該イメージセンサに蓄えられた光量（電気信号）を画像信号として出力する。なお、１／１２０ｓの露光時間でイメージセンサから出力される画像信号は、１フレームの画像を表す信号であり、例えば１ライン目〜７６８ライン目の各表示ラインに書き込まれる複数のライン画像信号から構成されるものとする。
【００３１】
上記したようにイメージセンサが高感度モードで駆動する場合、表示部１２は、図３に示すように１２０Ｈｚプログレッシブ駆動（方式）により画像を表示する。この１２０Ｈｚプログレッシブ駆動によれば、高感度モードで駆動するイメージセンサから出力された画像信号に基づいて１／１２０ｓで１フレームの画像が表示される。すなわち、この場合における表示パネル１２２は、１２０Ｈｚのリフレッシュレートで駆動される（つまり、１／１２０ｓ毎に書き換えられる）。
【００３２】
なお、プログレッシブ駆動とは、１フレームの画像を表示するために複数の表示ラインを上から順に走査する方式（順次走査方式）をいう。このプログレッシブ駆動によれば、１回の走査で１フレームの画像が表示される。
【００３３】
なお、図３においては便宜的に１フレームの画像を表示する場合について示しているが、本実施形態においては、例えば表示部１２によって動画像が表示される場合を想定している。この場合には、図３において説明した表示制御が当該動画像を構成する画像を表示する度に連続して行われる。以下の説明においても同様に動画像が表示されるものとする。
【００３４】
ここで、上記したイメージセンサにおける露光時間（つまり、露光量）が適切でない場合、表示部１２によって表示される画像の質が低下する場合がある。
【００３５】
具体的には、イメージセンサ（を含む撮像部１１）が非常に明るい場所で使用される際に図３と同様の露光時間（１／１２０ｓ）で当該イメージセンサが露光された場合には、当該イメージセンサにおける露光量が過剰となり、液晶表示装置１０において表示される画像の質（画質）が低下する。
【００３６】
この場合には、イメージセンサにおける露光時間を短くして露光量を低減させることにより、画質の低下を抑制する（つまり、画質を向上させる）ことができる。
【００３７】
ここで、図４を参照して、イメージセンサにおける露光時間を短くした場合における画像信号に基づく画像の表示制御（本実施形態に対する比較例）について説明する。
【００３８】
ここでは、撮像部１１に含まれるイメージセンサが高速モード（第２のモード）で駆動する場合を想定する。高速モードで駆動する場合、イメージセンサは、例えば高感度モード時の露光時間（１／１２０ｓ）よりも短い１／２４０ｓの露光時間（第２の露光時間）毎に画像信号を出力する（つまり、２４０Ｈｚの駆動周波数で駆動する）。具体的には、イメージセンサは、１／２４０ｓの露光時間に従って露光されることによって当該イメージセンサに蓄えられた光量（電気信号）を画像信号として出力する。
【００３９】
上記したようにイメージセンサが高速モードで駆動する場合に、図４に示すように、表示部１２が２４０Ｈｚプログレッシブ駆動により１フレームの画像を表示するものとする。この２４０Ｈｚプログレッシブ駆動によれば、高速モードで駆動するイメージセンサから出力された画像信号に基づいて１／２４０ｓで１フレームの画像が表示される。すなわち、この場合における表示パネル１２２は、２４０Ｈｚのリフレッシュレートで駆動される（つまり、１／２４０ｓ毎に書き換えられる）。
【００４０】
以下、上記した１２０Ｈｚプログレッシブ駆動及び２４０Ｈｚプログレッシブ駆動について説明する。
【００４１】
図５は、１２０Ｈｚプログレッシブ駆動について説明するための図である。図６は、２４０Ｈｚプログレッシブ駆動について説明するための図である。
【００４２】
なお、図５及び図６において、ＶＳは、画像を表示（走査）する際に垂直方向のタイミングを計るための垂直同期信号（ＶＳＹＮＣ）を示す。表示部１２は、このＶＳに従って表示パネル１２２（ディスプレイ）を上から下まで走査する。ＨＳは、画像を表示（走査）する際に水平方向のタイミングを計るための水平同期信号（ＨＳＹＮＣ）を示す。表示部１２は、このＨＳに従って各表示ラインを順次走査する。
【００４３】
図５を参照すると、１２０Ｈｚプログレッシブ駆動においては、１／１２０ｓ毎にＶＳが生成（出力）される。これによれば、１２０Ｈｚプログレッシブ駆動においては、１／１２０ｓの間に、１ライン目から７６８ライン目までの全ての表示ラインへの画像信号の書き込み（つまり、表示パネル１２２の上から下までの走査）が完了される。
【００４４】
一方、図６を参照すると、２４０Ｈｚプログレッシブ駆動においては、１／２４０ｓ毎にＶＳが生成（出力）される。これによれば、２４０Ｈｚプログレッシブ駆動においては、１／２４０ｓの間に、１ライン目から７６８ライン目までの全ての表示ラインへの画像信号の書き込み（つまり、表示パネル１２２の上から下までの走査）が完了される。
【００４５】
ここで、図５に示す１２０Ｈｚプログレッシブ駆動においては、１／１２０ｓで１ライン目から７６８ライン目までの表示ラインにライン画像信号が順次書き込まれる。これに対して、図６に示す２４０Ｈｚプログレッシブ駆動においては、１／２４０ｓで１ライン目から７６８ライン目までの表示ラインにライン画像信号が順次書き込まれる。
【００４６】
すなわち、１表示ラインに対してライン画像信号を各々の画素に書き込む時間を充電時間とすると、図６に示す２４０Ｈｚプログレッシブ駆動における充電時間３０２は、図５に示す１２０Ｈｚプログレッシブ駆動における充電時間３０１よりも短くなる。
【００４７】
したがって、例えばイメージセンサにおける露光時間を短くするために当該イメージセンサの駆動モードを高感度モードから高速モードに変更し、表示部１２における駆動を１２０Ｈｚプログレッシブ駆動から２４０Ｈｚプログレッシブ駆動とした場合には、上記した充電期間の変化に伴い書き込み電圧を変更する必要がある。
【００４８】
また、図５に示すように、１２０Ｈｚプログレッシブ駆動において、例えば各表示ラインとして配列されている複数の画素ＰＸに書き込まれた画像信号が当該画素ＰＸにおいて保持される時間、すなわち、当該表示ラインにおいて次の画像信号が書き込まれる（書き換えられる）までの時間（以下、応答時間と表記）は、１／１２０ｓである。これに対して、図６に示すように、２４０Ｈｚプログレッシブ駆動の場合の応答時間は、１／２４０ｓである。
【００４９】
したがって、上記したようにイメージセンサの駆動モードを高感度モードから高速モードに変更し、表示部１２における駆動を１２０Ｈｚプログレッシブ駆動から２４０Ｈｚプログレッシブ駆動とした場合には、上記した充電時間に加えて、応答時間をも変更する必要がある。
【００５０】
このように充電時間及び応答時間を変更する場合には、表示部１２においてガンマ（補正等）に関する設定をも変更する必要があり、結果として、画像の表示制御が複雑化し、液晶表示装置における負荷が増加する。
【００５１】
そこで、本実施形態に係る液晶表示装置１０は、イメージセンサの駆動モード（つまり、露光時間）が変更された場合であっても当該液晶表示装置１０における負荷を増加させることなく画像の表示制御を適切に行うための構成を有する。
【００５２】
以下、図７を参照して、本実施形態に係る液晶表示装置１０に備えられる画像処理部１３の機能構成の一例について説明する。
【００５３】
図７に示すように、画像処理部１３は、入力部１３１、判定部１３２、処理部１３３及び出力部１３４を含む。なお、これらの各部１３１〜１３４の一部または全ては、例えば、ＩＣ（Integrated Circuit）等のハードウェアによって実現されてもよいし、プログラム等のソフトウェアによって実現されてもよいし、当該ハードウェア及びソフトウェアの組み合わせ構成として実現されてもよい。
【００５４】
入力部１３１は、撮像部１１（に含まれるイメージセンサ）から出力される画像信号を入力する。また、入力部１３１は、外光センサ２０によって検出された外光の強度を入力する。
【００５５】
ここで、外光センサ２０によって検出された外光の強度は、撮像部１１においても入力される。外光の強度を入力した撮像部１１は、当該外光の強度に基づいて撮像部１１周辺の明暗を判定し、当該判定結果に基づいて当該撮像部１１に含まれるイメージセンサの駆動モードを切り替える。この場合、撮像部１１は、外光の強度（の値）が予め定められた値より大きい（つまり、撮像部１１の周辺が明るい）場合には、イメージセンサの駆動モードを高速モードに切り替える。一方、撮像部１１は、外光の強度（の値）が予め定められた値より小さい（つまり、撮像部１１の周辺が暗い）場合には、イメージセンサの駆動モードを高感度モードに切り替える。
【００５６】
判定部１３２は、入力部１３１によって入力された外光の強度（つまり、撮像部１１周辺の明暗）に基づいてイメージセンサの駆動モード（撮像部１１における切り替え後の駆動モード）を判定する。この場合、判定部１３２は、上記したように外光の強度が予め定められた値より大きい場合にはイメージセンサの駆動モードが高速モードである（つまり、高速モードに切り替えられた）と判定し、外光の強度が予め定められた値より小さい場合にはイメージセンサの駆動モードが高感度モードである（つまり、高感度モードに切り替えられた）と判定する。
【００５７】
ここでは、判定部１３２が外光の強度に基づいてイメージセンサの駆動モードを判定するものとして説明したが、当該イメージセンサの駆動モードは、例えば撮像部１１から通知されるような構成であっても構わない。
【００５８】
処理部１３３は、入力部１３１によって入力された画像信号に対して画像処理を実行し、当該画像信号をＲＧＢ成分を含む画像信号（つまり、表示部１２において表示可能な形式の信号）に変換する。なお、処理部１３３によって画像処理が実行された後の画像信号は、表示部１２において各表示ライン（１ライン目から７６８ライン目までの表示ライン）に書き込まれる複数のライン画像信号を含む。
【００５９】
ここで、判定部１３２によってイメージセンサの駆動モードが高速モードであると判定された場合、処理部１３３は、画像処理が実行された後の画像信号の一部を間引く処理を実行する。具体的には、処理部１３３は、上記した１ライン目から７６８ライン目までの各表示ラインに書き込まれる複数のライン画像信号のうちの所定の表示ラインに書き込まれるライン画像信号を間引くものとする。
【００６０】
出力部１３４は、処理部１３３によって一部が間引かれた画像信号を表示部１２に出力する。
【００６１】
なお、判定部１３２によってイメージセンサの駆動モードが高感度モードであると判定された場合には、処理部１３３によって画像処理が実行された後の画像信号（つまり、１ライン目から７６８ライン目までの各表示ラインに書き込まれる複数のライン画像信号を含む画像信号）が表示部１２に出力される。
【００６２】
ここで、上記した外光センサ２０によって検出された外光の強度は、表示部１２においても入力される。この場合、表示部１２においては、上記した画像処理部１３に含まれる判定部１３２と同様に、撮像部１１に含まれるイメージセンサの駆動モードが判定される。
【００６３】
イメージセンサの駆動モードが高感度モードであると判定された場合、表示部１２は、上記した図３及び図５において説明した１２０Ｈｚプログレッシブ駆動による画像の表示制御を実行する。
【００６４】
一方、イメージセンサの駆動モードが高速モードであると判定された場合、表示部１２は、後述する２４０Ｈｚインターレース駆動による画像の表示制御を実行する。
【００６５】
なお、インターレース駆動（方式）とは、１フレームの画像を表示するために複数の表示ラインを例えば所定ライン毎に飛び越し走査する方式（飛び越し走査方式）をいう。すなわち、インターレース駆動によれば、複数回の走査で１フレームの画像が表示される。
【００６６】
次に、図８のフローチャートを参照して、本実施形態に係る液晶表示装置１０の動作の概要について説明する。
【００６７】
まず、液晶表示装置１０においては、外光センサ２０によって検出された外光の強度に基づいて撮像部１１周辺の明暗が判定される（ステップＳＴ１）。この判定処理によれば、上記したように外光の強度が予め定められた値より小さい場合には撮像部１１周辺が明るくないと判定され、外光の強度が予め定められた値より大きい場合には撮像部１１周辺が明るいと判定される。
【００６８】
撮像部１１周辺が明るくないと判定された場合（ステップＳＴ１のＮＯ）、イメージセンサは、高感度モードで駆動する（ステップＳＴ２）。イメージセンサが高感度モードで駆動する場合の露光時間は例えば１／１２０ｓである。
【００６９】
また、撮像部１１周辺が明るくないと判定された場合、表示部１２は、プログレッシブ駆動により画像を表示する（ステップＳＴ３）。上記したようにイメージセンサにおける露光時間が１／１２０ｓである場合、表示部１２は、１２０Ｈｚプログレッシブ駆動で動作する。
【００７０】
一方、撮像部１１周辺が明るいと判定された場合（ステップＳＴ１のＹＥＳ）、イメージセンサは、高速モードで駆動する（ステップＳＴ４）。イメージセンサが高速モードで駆動する場合の露光時間は、上記した高感度モード時の露光時間の１／２であり、例えば１／２４０ｓである。
【００７１】
また、撮像部１１周辺が明るいと判定された場合、表示部１２は、インターレース駆動により画像を表示する（ステップＳＴ５）。上記したようにイメージセンサにおける露光時間が１／２４０ｓである場合、表示部１２は、２４０Ｈｚインターレース駆動で動作する。
【００７２】
ここで、図９及び図１０を参照して、本実施形態における２４０Ｈｚインターレース駆動について説明する。
【００７３】
上記したように表示部１２が２４０Ｈｚインターレース駆動により画像を表示する場合、撮像部１１に含まれるイメージセンサは高速モードで駆動する。この場合、イメージセンサは、図９に示すように、１／２４０ｓの露光時間毎に画像信号を出力する。
【００７４】
本実施形態における２４０Ｈｚインターレース駆動においては、１／２４０ｓの露光時間にイメージセンサから出力される画像信号の一部が間引かれた画像信号に基づいて画像が表示される。
【００７５】
ここで、高速モードで駆動するイメージセンサは、図９に示すように、１／２４０ｓ毎に画像信号Ｓ１−１，Ｓ１，Ｓ１＋１を順次出力するものとする。なお、これらの画像信号Ｓ１−１，Ｓ１，Ｓ１＋１はイメージセンサが高速モードで駆動している間に１／２４０ｓ毎に順次出力される複数の画像信号の一部であり、図９においては、画像信号Ｓ１−１，Ｓ１，Ｓ１＋１以外の画像信号については省略されている。
【００７６】
上記したようにイメージセンサから出力される各画像信号（画像信号Ｓ１−１，Ｓ１，Ｓ１＋１等）は、表示部１２における各表示ライン（１ライン目から７６８ライン目までの表示ライン）に書き込まれる複数のライン画像信号を含む。
【００７７】
以下の説明においては、イメージセンサから出力される画像信号に含まれる複数のライン画像信号のうち、例えば１ライン目の表示ラインに書き込まれるライン画像信号を、１ライン目のライン画像信号と称する。同様に、２ライン目の表示ラインに書き込まれるライン画像信号を、２ライン目のライン画像信号と称する。他の表示ラインに書き込まれるライン画像信号についても同様であるものとする。
【００７８】
まず、画像信号Ｓ１−１が出力された１／２４０ｓ後にイメージセンサから画像信号Ｓ１が出力された場合を想定する。この場合、画像信号Ｓ１は、画像処理部１３に含まれる入力部１３１によって入力され、処理部１３３によって画像処理される。
【００７９】
ここで、上記したようにイメージセンサの駆動モードは高速モードであるため、処理部１３３は、画像処理された画像信号Ｓ１の一部を間引く処理を実行する。この場合、処理部１３３は、画像信号Ｓ１に含まれる１ライン目〜７６８ライン目のライン画像信号のうち、例えば偶数ライン（２ライン目、４ライン目、６ライン目、…、７６８ライン目）のライン画像信号を画像信号Ｓ１から間引くものとする。これにより、処理部１３３は、奇数ライン（１ライン目、３ライン目、５ライン目、…、７６７ライン目）のライン画像信号を含む画像信号（以下、画像信号Ｓ１´と表記）を生成する。
【００８０】
処理部１３３によって生成された画像信号Ｓ１´は、出力部１３４によって表示部１２に出力される。
【００８１】
この場合、表示部１２は、図１０に示すように、画像信号Ｓ１´に含まれる奇数ライン（１ライン目、３ライン目、５ライン目、…、７６７ライン目）のライン画像信号を、対応する表示ライン（奇数表示ライン）に順次書き込む。
【００８２】
なお、画像信号Ｓ１´に含まれる奇数ラインのライン画像信号が奇数表示ラインに書き込まれる際の充電時間（１表示ラインに対してライン画像信号を書き込む時間）３０３は、上記した図５に示す１２０Ｈｚプログレッシブ駆動における充電時間３０１と実質同一とする。なお、本実施形態において、実質同一とは、完全に一致する場合及び実質的に同一である場合を含むものとする。以下の説明においても同様である。
【００８３】
ここで、表示部１２によって画像信号Ｓ１´（に含まれる各ライン画像信号）が書き込まれる表示ラインの数は、上記した１２０Ｈｚプログレッシブ駆動時に書き込まれる表示ライン数の１／２である。このため、表示部１２による画像信号Ｓ１´に基づく書き込み動作は、図１０に示すように、上記した１２０Ｈｚプログレッシブ駆動における書き込み動作が行われる時間（つまり、１／１２０ｓ）の１／２の時間（つまり、１／２４０ｓ）で完了する。
【００８４】
ここで、図９に戻ると、高速モードで駆動するイメージセンサは、画像信号Ｓ１が出力された１／２４０ｓ後に画像信号Ｓ１＋１を出力する。イメージセンサから画像信号Ｓ１＋１が出力された場合、当該画像信号Ｓ１＋１は、画像処理部１３に含まれる入力部１３１によって入力され、処理部１３３によって画像処理される。
【００８５】
次に、処理部１３３は、画像処理された画像信号Ｓ１＋１の一部を間引く処理を実行する。この場合、処理部１３３は、画像信号Ｓ１＋１に含まれる１ライン目〜７６８ライン目のライン画像信号のうち、奇数ライン（１ライン目、３ライン目、５ライン目、…、７６７ライン目）のライン画像信号を画像信号Ｓ１＋１から間引くものとする。これにより、処理部１３３は、偶数ライン（２ライン目、４ライン目、６ライン目、…、７６８ライン目）のライン画像信号を含む画像信号（以下、画像信号Ｓ１＋１´と表記）を生成する。
【００８６】
上記したように画像信号Ｓ１´は奇数ラインのライン画像信号を含む画像信号であり、画像信号Ｓ１＋１´は偶数ラインのライン画像信号を含む画像信号である。すなわち、高速モードで駆動するイメージセンサから連続して出力される画像信号Ｓ１及びＳ１＋１においては、それぞれ異なる表示ラインに書き込まれるライン画像信号が間引かれる（つまり、画像信号毎に間引くラインを変える）。
【００８７】
処理部１３３によって生成された画像信号Ｓ１＋１´は、出力部１３４によって表示部１２に出力される。
【００８８】
この場合、表示部１２は、図１０に示すように、画像信号Ｓ１＋１´に含まれる偶数ライン（２ライン目、４ライン目、６ライン目、…、７６８ライン目）のライン画像信号を、対応する表示ライン（偶数表示ライン）に順次書き込む。
【００８９】
なお、画像信号Ｓ１＋１´に含まれる偶数ラインのライン画像信号が偶数表示ラインに書き込まれる際の充電時間（１表示ラインに対してライン画像信号を書き込む時間）３０４は、上記した充電時間３０３と同様に、１２０Ｈｚプログレッシブ駆動における充電時間３０１と実質同一である。
【００９０】
この場合、表示部１２による画像信号Ｓ１＋１´に基づく書き込み動作は、上記した画像信号Ｓ１´に基づく書き込み動作の場合と同様に、１／２４０ｓで完了する。
【００９１】
このように２４０Ｈｚインターレース駆動においては、画像信号Ｓ１（画像信号Ｓ１´）及び画像信号Ｓ１＋１（画像信号Ｓ１＋１´）に基づく書き込み動作によって、１フレームの画像が表示される（つまり、全ての表示ラインに画像信号が書き込まれる）。すなわち、２４０Ｈｚインターレース駆動によれば１／１２０ｓで１フレームの画像が表示され、表示パネル１２２は、１２０Ｈｚのリフレッシュレートで駆動される（１／１２０ｓ毎に書き換えられる）。
【００９２】
ここで、上記したように２４０Ｈｚインターレース駆動における充電時間は、１２０Ｈｚプログレッシブ駆動における充電時間と実質同一である。換言すれば、２４０Ｈｚインターレース駆動において全ての表示ラインに画像信号を書き込む書き込み時間と、１２０Ｈｚプログレッシブ駆動において全ての表示ラインに画像を書き込む書き込み時間とは、実質同一である。
【００９３】
また、２４０Ｈｚインターレース駆動において、各表示ラインにおける応答時間（当該表示ラインとして配列されている複数の画素ＰＸに書き込まれた画像信号が当該画素ＰＸにおいて保持される時間）は、図１０に示すように、１／１２０ｓである。
【００９４】
すなわち、本実施形態における２４０Ｈｚインターレース駆動においては、上記したイメージセンサが高感度モードで駆動する場合における１２０Ｈｚプログレッシブ駆動時と比較して、充電時間及び応答時間は変わらない。換言すれば、本実施形態においては、１２０Ｈｚプログレッシブ駆動の場合と２４０Ｈｚインターレース駆動の場合とで、充電時間及び応答時間に基づく表示部１２が１フレームの画像を表示するための表示動作を行う期間（表示パネル１２２におけるリフレッシュレート）は実質同一となる。
【００９５】
なお、ここではイメージセンサから画像信号Ｓ１及びＳ１＋１が出力される場合における画像の表示制御（２４０Ｈｚインターレース駆動）について説明したが、例えばイメージセンサから画像信号Ｓ１＋２及びＳ１＋３（図示せず）が出力される場合についても同様の表示制御が実行される。
【００９６】
具体的には、例えば画像信号Ｓ１＋１の次に画像信号Ｓ１＋２が出力された場合には、表示部１２においては、当該画像信号Ｓ１＋２から偶数ラインのライン画像信号が間引かれた画像信号Ｓ１＋２´（つまり、奇数ラインのライン画像信号）に基づく表示制御（書き込み動作）が行われる。また、画像信号Ｓ１＋２の次に画像信号Ｓ１＋３が出力された場合には、表示部１２においては、当該画像信号Ｓ１＋３から奇数ラインのライン画像信号が間引かれた画像信号Ｓ１＋３´（つまり、偶数ラインのライン画像信号）に基づく表示制御（書き込み動作）が行われる。他の画像信号が出力された場合も同様である。
【００９７】
なお、液晶表示装置１０（表示部１２）においては、例えば液晶層（の画素領域）の上下に画像信号に応じた電圧を付与し、液晶分子の配向状態を変化させることにより透過率を変化させて画像を表示する。このような液晶表示装置１０において、付与する電圧の極性を変化させない直流駆動を採用した場合には、液晶層中の不純物が電荷となり一方に偏って蓄積することによって液晶が劣化する。このため、液晶表示装置１０においては、付与する電圧の極性を所定の間隔毎に逆にする交流駆動が採用される。
【００９８】
ここで、図１１及び図１２を参照して、各画素ＰＸ（液晶層の画素領域）に付与される電圧の極性（以下、単に画素ＰＸの極性と表記）の一例について説明する。
【００９９】
図１１は、上記した１２０Ｈｚプログレッシブ駆動における各画素ＰＸの極性を示す。上記したように複数の画素ＰＸは２次元のマトリクス状に配列されているが、図１１に示すように、１２０Ｈｚプログレッシブ駆動においては、隣接する画素ＰＸ毎に極性が反転するように駆動される。換言すれば、図１１の矢印４０１によって示されるように、例えば１表示ラインにおいて隣接する画素ＰＸの極性は互いに異なる。更に、図１１の矢印４０２によって示されるように、隣接する表示ライン間で対応する（隣接する）画素ＰＸの極性は互いに異なる。
【０１００】
図１１に示す例では、１ライン目の表示ラインにおける各画素ＰＸの極性は「正（＋）、負（−）、正（＋）、負（−）、正（＋）、…」であり、２ライン目の表示ラインにおける各画素ＰＸの極性は「負（−）、正（＋）、負（−）、正（＋）、負（−）、…」である。なお、３ライン目以降についても同様であるため、その詳しい説明を省略する。
【０１０１】
また、図１１の矢印４０３によって示されるように、１２０Ｈｚプログレッシブ駆動により画像（１フレームの画像）が書き換えられる場合、各画素ＰＸの極性はそれぞれ反転する（変化する）。
【０１０２】
なお、図１１においては、便宜的に１ライン目〜５ライン目の表示ラインについてのみ示されているが、他の表示ラインについても同様である。
【０１０３】
図１２は、上記した２４０Ｈｚインターレース駆動における各画素ＰＸの極性を示す。２４０Ｈｚインターレース駆動においては、図１２の矢印５０１によって示されるように、各表示ラインにおいて隣接する画素ＰＸの極性は互いに異なる。
【０１０４】
ここで、上記したように２４０Ｈｚインターレース駆動によれば、奇数ラインのライン画像信号及び偶数ラインのライン画像信号が、１／２４０ｓ毎に交互に書き込まれる。
【０１０５】
まず、奇数ラインのライン画像信号が表示ラインに書き込まれるものとすると、図１２の矢印５０２によって示されるように、当該ライン画像信号が書き込まれる表示ライン（１ライン目の表示ライン、３ライン目の表示ライン、５ライン目の表示ライン、…）において隣接する表示ライン間で対応する画素ＰＸの極性は異なる。この場合においては、例えば１ライン目の表示ラインと３ライン目の表示ラインとが隣接する関係にあり、３ライン目の表示ラインと５ライン目の表示ラインとが隣接する関係にあるものとする。
【０１０６】
図１２に示す例では、１ライン目の表示ラインにおける各画素ＰＸの極性は「正（＋）、負（−）、正（＋）、負（−）、正（＋）、…」であり、３ライン目の表示ラインにおける各画素ＰＸの極性は「負（−）、正（＋）、負（−）、正（＋）、負（−）、…」である。なお、５ライン目以降についても同様であるため、その詳しい説明を省略する。
【０１０７】
次に、偶数ラインのライン画像信号が表示ラインに書き込まれるものとすると、図１２の矢印５０３によって示されるように、当該ライン画像信号が書き込まれる表示ライン（２ライン目の表示ライン、４ライン目の表示ライン、…）において隣接する表示ライン間で対応する画素ＰＸの極性は異なる。この場合においては、例えば２ライン目の表示ラインと４ライン目の表示ラインとが隣接する関係にあり、４ライン目の表示ラインと６ライン目の表示ラインとが隣接する関係にあるものとする。
【０１０８】
図１２に示す例では、２ライン目の表示ラインにおける各画素ＰＸの極性は「正（＋）、負（−）、正（＋）、負（−）、正（＋）、…」であり、４ライン目の表示ラインにおける各画素ＰＸの極性は「負（−）、正（＋）、負（−）、正（＋）、負（−）、…」である。なお、６ライン目以降についても同様であるため、その詳しい説明を省略する。
【０１０９】
なお、図１２に示すように、２４０Ｈｚインターレース駆動により画像（１フレームの画像）が書き換えられる場合、各画素ＰＸの極性はそれぞれ反転する（変化する）。すなわち、奇数ラインのライン画像信号が書き換えられる場合には、図１２の矢印５０４によって示されるように、当該表示ライン（１ライン目の表示ライン、３ライン目の表示ライン、５ライン目の表示ライン、…）における各画素ＰＸの極性が反転する。一方、偶数ラインのライン画像信号が書き換えられる場合には、図１２の矢印５０５によって示されるように、当該表示ライン（２ライン目の表示ライン、４ライン目の表示ライン、…）における各画素ＰＸの極性が反転する。
【０１１０】
すなわち、上記した各画素ＰＸの極性は、画像信号が書き込まれる表示ライン毎に異なるとともに、更に画像信号が書き換えられる度に（つまり、１フレーム毎に）変化する。
【０１１１】
上記したように本実施形態において、イメージセンサは、高感度モードで駆動する場合には例えば１／１２０ｓ（第１の露光時間）毎に画像信号を出力し、高速モードで駆動する場合には１／２４０ｓ（第２の露光時間）毎に画像信号を出力する。また、表示部１２は、例えば、イメージセンサが高感度モードで駆動する場合には１２０Ｈｚプログレッシブ駆動により画像を表示し、イメージセンサが高速モードで駆動する場合には２４０Ｈｚインターレース駆動により画像を表示する。本実施形態においては、このような構成により、液晶表示装置１０における負荷または画質等の観点から画像の表示制御を適切に行うことが可能となる。
【０１１２】
なお、本実施形態において、イメージセンサが高感度モードで駆動する場合において表示部１２が表示動作を行う期間（第１の期間）と、当該イメージセンサが高速モードで駆動する場合において表示部１２が表示動作を行う期間（第２の期間）とは実質同一とする。具体的には、イメージセンサが高速モードで駆動する場合には、イメージセンサから出力される画像信号の一部を間引く処理を実行して画像を表示する。
【０１１３】
これによれば、イメージセンサの駆動モードが高感度モードである場合と高速モードである場合とで、表示部１２の表示動作における充電時間（１表示ラインに対して画像信号を書き込む時間）及び応答時間（表示ラインにおいて画像信号が書き換えられるまでの時間）を変更する必要がない。この場合、イメージセンサの駆動モードに応じて例えばガンマに関する設定等を変更する必要がないため、当該変更に伴う処理の複雑化（つまり、負荷の増加）を回避することが可能となる。
【０１１４】
なお、上記した２４０Ｈｚインターレース駆動により表示される画像のボケの量は１２０Ｈｚプログレッシブ駆動と同等であるが、当該画像の重心の位置は２４０Ｈｚ（すなわち、１／２４０ｓ）で更新することができる。このため、本実施形態における２４０Ｈｚインターレース駆動によれば、１２０Ｈｚプログレッシブ駆動と同等の負荷（応答）であるにもかかわらず、少なくとも当該１２０Ｈｚプログレッシブ駆動よりも高い（つまり、２４０Ｈｚプログレッシブ駆動に近い）動画性能を実現することが可能となる。
【０１１５】
ここで、図１３に示すグラフは、画素密度（ｐｐｉ）と当該画素密度のディスプレイ（液晶表示装置１０）を目視した人が画素を認識することができる画面までの距離（視距離）との関係を視力別に示している。
【０１１６】
なお、ここで説明する画面とは例えばスマートフォン等のディスプレイであり、人が当該スマートフォンのディスプレイを目視する際の距離が概ね３０ｃｍである場合を想定する。また、図１３に示す曲線６００は、視力の平均値を示しているものとする。
【０１１７】
これによれば、視力が平均値程度である人が３０ｃｍの距離でスマートフォンのディスプレイを目視する場合、当該ディスプレイにおける画素密度が概ね４００ｐｐｉ以上であれば画素は認識されない。
【０１１８】
解像度の低い現行の液晶パネルを用いてインターレース駆動を行っても、今までは表示される画像中にジャギーが視認されてしまい実使用上インターレース駆動をすることはできなかった。しかしながら、上記したように画素密度が４００ｐｐｉ以上となるように液晶表示装置１０を構成することにより、ジャギーの幅が狭くなり視認されなくなる。また、２４０Ｈｚインターレース駆動することによって、通常の６０Hzよりも1フレームの画像更新距離が少なくなるため、ジャギーの長さが短くなり、、液晶表示装置１０に表示される画像を目視する人によってジャギーが認識されない。よって、本実施形態においては、上記した表示パネル１２２が例えば１２０Ｈｚ以上のリフレッシュレートで駆動され、かつ、４００ｐｐｉ以上の画素密度を有することにより、インターレース駆動によって生じるジャギーの影響を低減し、ユーザにとって視認性の高い画像を表示することができる。
【０１１９】
なお、本実施形態においては、イメージセンサが高感度モードで駆動する（つまり、露光時間が１／１２０ｓである）場合に１２０Ｈｚプログレッシブ駆動により画像が表示され、イメージセンサが高速モードで駆動する（つまり、露光時間が１／２４０ｓである）場合に２４０Ｈｚインターレース駆動により画像が表示されるものとして説明したが、例えば、露光時間が長い場合にプログレッシブ駆動により画像が表示され、露光時間が短い場合にインターレース駆動により画像が表示されることにより、イメージセンサの各駆動モード時における表示部１２の表示動作を行う期間（例えば、充電時間及び応答時間）を実質同一とするものであれば、当該イメージセンサにおける露光時間及び表示部１２の表示動作を行う期間等は異なるものであっても構わない。
【０１２０】
また、液晶表示装置１０においては例えば当該液晶表示装置１０（に含まれる各部１１〜１３）内のフレームバッファ等を用いることにより１フレームの画像を表す画像信号単位で処理が実行されるが、本実施形態は、当該各部１１〜１３が同期して駆動するように制御することにより、画像信号単位ではなく、例えば１表示ライン分のライン画像信号単位で処理を実行する低遅延システム等に適用されても構わない。
【０１２１】
また、本実施形態においては液晶表示装置１０について主に説明したが、本実施形態は、例えば有機ＥＬ表示装置（ＯＬＥＤ）ディスプレイ等の表示装置に適用されても構わない。
【０１２２】
（第２の実施形態）
次に、第２の実施形態について説明する。なお、本実施形態に係る液晶表示装置の構成、当該液晶表示装置に含まれる表示部及び画像処理部の構成については、前述した第１の実施形態と同様であるため、適宜、図１、図２及び図７等を用いて説明する。また、以下の説明においては、前述した第１の実施形態と同様の部分についてはその詳しい説明を省略し、当該第１の実施形態と異なる部分について主に述べる。
【０１２３】
本実施形態に係る液晶表示装置１０は、撮像部１１に含まれるイメージセンサから出力される画像信号（の形式）が前述した第１の実施形態とは異なる。
【０１２４】
本実施形態においては、前述した第１の実施形態と同様に、イメージセンサが高感度モードで駆動する（つまり、露光時間が１／１２０ｓである）場合には１２０Ｈｚプログレッシブ駆動により画像が表示され、イメージセンサが高速モードで駆動する（つまり、露光時間が１／２４０ｓである）場合には２４０Ｈｚインターレース駆動により画像が表示されるものとする。
【０１２５】
なお、本実施形態における１２０Ｈｚプログレッシブ駆動については、前述した第１の実施形態において説明した通りであるため、その詳しい説明を省略する。
【０１２６】
以下、図１４を参照して、本実施形態における２４０Ｈｚインターレース駆動について説明する。
【０１２７】
上記したように表示部１２が２４０Ｈｚインターレース駆動により画像を表示する場合、撮像部１１に含まれるイメージセンサは高速モードで駆動する。この場合、イメージセンサは、図１４に示すように、１／２４０ｓの露光時間毎に画像信号を出力する。
【０１２８】
ここで、本実施形態において、高速モードで駆動するイメージセンサは、１フレームの画像を表す画像信号の一部が間引かれた画像信号を出力する。具体的には、イメージセンサは、１フレームの画像を表す画像信号に含まれる複数のライン画像信号（１ライン目〜７６８ライン目のライン画像信号）のうち、例えば偶数ライン（２ライン目、４ライン目、６ライン目、…、７６８ライン目）のライン画像信号が間引かれた画像信号（つまり、１ライン目、３ライン目、５ライン目、…、７６７ライン目のライン画像信号を含む画像信号）を出力する。
【０１２９】
ここでは、図１４に示すように、イメージセンサが１／２４０ｓ毎に画像信号Ｓ２−１，Ｓ２，Ｓ２＋１を順次出力するものとする。なお、これらの画像信号Ｓ２−１，Ｓ２，Ｓ２＋１はイメージセンサが高速モードで駆動している間に１／２４０ｓ毎に順次出力される複数の画像信号の一部であり、図１４においては、画像信号Ｓ２−１，Ｓ２，Ｓ２＋１以外の画像信号については省略されている。
【０１３０】
上記したようにイメージセンサから出力される各画像信号（画像信号Ｓ２−１，Ｓ２，Ｓ２＋１等）は、奇数ラインのライン画像信号を含む。
【０１３１】
まず、画像信号Ｓ２−１が出力された１／２４０ｓ後にイメージセンサから画像信号Ｓ２が出力された場合を想定する。この場合、画像信号Ｓ２は、画像処理部１３に含まれる入力部１３１によって入力され、処理部１３３によって画像処理され、出力部１３４によって表示部１２に出力される。
【０１３２】
この場合、表示部１２は、出力部１３４によって出力された画像信号Ｓ２に含まれる奇数ライン（１ライン目、３ライン目、５ライン目、…、７６７ライン目）のライン画像信号を、対応する表示ライン（奇数表示ライン）に順次書き込む。
【０１３３】
なお、図示しないが、画像信号Ｓ２に含まれるライン画像信号が奇数表示ラインに書き込まれる際の充電時間（１表示ラインに対してライン画像信号を書き込む時間）は、前述した１２０Ｈｚプログレッシブ駆動における充電時間と実質同一とする。
【０１３４】
また、表示部１２によって画像信号Ｓ２（に含まれる各ライン画像信号）が書き込まれる表示ラインの数は、前述した１２０Ｈｚプログレッシブ駆動時に書き込まれる表示ライン数の１／２である。このため、表示部１２による画像信号Ｓ２に基づく書き込み動作は、１２０Ｈｚプログレッシブ駆動における書き込み動作が行われる時間（つまり、１／１２０ｓ）の１／２の時間（つまり、１／２４０ｓ）で完了する。
【０１３５】
次に、高速モードで駆動するイメージセンサは、画像信号Ｓ２が出力された１／２４０ｓ後に画像信号Ｓ２＋１を出力する。イメージセンサから画像信号Ｓ２＋１が出力された場合、当該画像信号Ｓ２＋１は、画像処理部１３に含まれる入力部１３１によって入力され、処理部１３３によって画像処理され、出力部１３４によって表示部１２に出力される。
【０１３６】
ここで、画像信号Ｓ２＋１は、上記したように奇数ライン（１ライン目、３ライン目、５ライン目、…、７６７ライン目）のライン画像信号を含む画像信号である。この場合、表示部１２は、画像信号Ｓ２＋１に含まれる奇数ラインのライン画像信号（をコピーしたライン画像信号）を偶数ラインのライン画像信号として用いる。これにより、表示部１２は、奇数ラインのライン画像信号を含む画像信号Ｓ２＋１に基づいて、偶数ラインのライン画像信号を偶数表示ラインに順次書き込むことができる。
【０１３７】
なお、画像信号Ｓ２＋１に含まれるライン画像信号が偶数表示ラインに書き込まれる際の充電時間（つまり、１表示ラインに対してライン画像信号を書き込む時間）は、１２０Ｈｚプログレッシブ駆動における充電時間と実質同一である。
【０１３８】
この場合、表示部１２による画像信号Ｓ２＋１に基づく書き込み動作は、上記した画像信号Ｓ２に基づく書き込み動作の場合と同様に、１／２４０ｓで完了する。
【０１３９】
このように２４０Ｈｚインターレース駆動においては、画像信号Ｓ２及びＳ２＋１に基づく書き込み動作によって、１フレームの画像が表示される（つまり、全ての表示ラインに画像信号が書き込まれる）。すなわち、本実施形態における２４０Ｈｚインターレース駆動によれば１／１２０ｓで１フレームの画像が表示され、表示パネル１２２は、１２０Ｈｚのリフレッシュレートで駆動される（１／１２０ｓ毎に書き換えられる）。
【０１４０】
ここで、上記したように本実施形態における２４０Ｈｚインターレース駆動における充電時間は、１２０Ｈｚプログレッシブ駆動における充電時間と実質同一である。また、本実施形態における２４０Ｈｚインターレース駆動において、各表示ラインにおける応答時間（当該表示ラインとして配列されている複数の画素ＰＸに書き込まれた画像信号が当該画素ＰＸにおいて保持される時間）は、１／１２０ｓである。
【０１４１】
すなわち、本実施形態における２４０Ｈｚインターレース駆動においては、上記したイメージセンサが高感度モードで駆動する場合における１２０Ｈｚプログレッシブ駆動時と比較して、充電時間及び応答時間（すなわち、表示部１２が１フレームの画像を表示するための表示動作を行う期間）は変わらない。
【０１４２】
ここでは、イメージセンサから画像信号Ｓ２及びＳ２＋１が出力される場合における画像の表示制御（２４０Ｈｚインターレース駆動）について説明したが、高速モードで駆動している間にイメージセンサから他の画像信号が出力された場合についても同様の表示制御が実行される。
【０１４３】
なお、上記したように高速モードで駆動するイメージセンサが奇数ラインのライン画像信号を含む画像信号（つまり、偶数ラインのライン画像信号が間引かれた画像信号）を出力する場合においても、図１５に示す本実施形態に対する比較例のように、例えば当該奇数ラインのライン画像信号と当該ライン画像信号の各々をコピーした偶数ラインのライン画像信号とを１フレームの画像を表す画像信号（つまり、１ライン目〜７６８ライン目のライン画像信号）として用いることにより、２４０Ｈｚプログレッシブ駆動を実現することは可能である。
【０１４４】
しかしながら、このような本実施形態に対する比較例によれば、イメージセンサの駆動モードを高感度モードから高速モードに変更し、表示部１２における駆動を１２０Ｈｚプログレッシブ駆動から２４０Ｈｚプログレッシブ駆動とした場合に、充電時間及び応答時間を変更する必要があり、液晶表示装置における負荷が増加する。
【０１４５】
上記したように本実施形態において、イメージセンサは、高感度モード（第１のモード）で駆動する場合には１フレーム画像を表す画像信号（つまり、１ライン目〜７６８ライン目のライン画像信号）を出力し、高速モード（第２のモード）で駆動する場合には１フレームの画像を表す画像信号の一部が間引かれた画像信号（例えば、１ライン目、３ライン目、５ライン目、…、７６７ライン目のライン画像信号）を出力する。
【０１４６】
イメージセンサが高速モードで駆動する場合、表示部１２は、先に出力された画像信号Ｓ２に基づいてライン画像信号を奇数表示ラインに書き込み、後に出力された画像信号Ｓ２＋１に基づいてライン画像信号を偶数表示ラインに書き込むことによって、１フレームの画像を表示する。なお、本実施形態においては、画像信号Ｓ２に含まれるライン画像信号は奇数表示ラインに割り振られ、画像信号Ｓ２＋１に含まれるライン画像信号は偶数表示ラインに割り振られる。
【０１４７】
このような構成によれば、前述した第１の実施形態と同様に、イメージセンサの駆動モードが高感度モードである場合と高速モードである場合とで、表示部１２の表示動作における充電時間（１表示ラインに対して画像信号を書き込む時間）及び応答時間（表示ラインにおいて画像信号が書き換えられるまでの時間）を変更する必要がないため、当該変更に伴う処理の複雑化（つまり、負荷の増加）を回避することが可能となる。
【０１４８】
更に、本実施形態における２４０Ｈｚインターレース駆動によれば、前述した第１の実施形態と同様に、１２０Ｈｚプログレッシブ駆動と同等の負荷で、当該１２０Ｈｚプログレッシブ駆動よりも高い動画性能を実現することが可能となる。
【０１４９】
なお、本実施形態においては、画像信号Ｓ２＋１に含まれる奇数ラインのライン画像信号（をコピーしたライン画像信号）を偶数ラインのライン画像信号として用いるものとして説明したが、当該画像信号Ｓ２＋１（つまり、奇数ラインのライン画像信号）に対して平均化処理を施すことによって、偶数ラインのライン画像信号が生成される構成としても構わない。具体的には、画像処理部１３は、例えば画像信号Ｓ２＋１に含まれる１ライン目及び３ライン目のライン画像信号（つまり、奇数ラインにおいて隣接するライン画像信号）を平均化することによって、２ライン目のライン画像信号を生成する。また、画像処理部１３は、例えば画像信号Ｓ２＋１に含まれる３ライン目及び５ライン目のライン画像信号を平均化することによって、４ライン目のライン画像信号を生成する。画像処理部１３は、このような処理を隣接する奇数ラインのライン画像信号毎に実行することにより、偶数ラインのライン画像信号を生成することができる。このような構成によれば、単に奇数ラインのライン画像信号を偶数ラインのライン画像信号として用いる場合と比較して、より質の高い画像（動画像）を表示することが可能となる。
【０１５０】
更に、本実施形態においては、奇数ラインのライン画像信号を含む画像信号（つまり、偶数ラインのライン画像信号が間引かれた画像信号）がイメージセンサから出力されるものとして説明したが、例えば偶数ラインのライン画像信号を含む画像信号（つまり、奇数ラインのライン画像信号が間引かれた画像信号）がイメージセンサから出力される構成であっても構わない。
【０１５１】
（第３の実施形態）
次に、第３の実施形態について説明する。なお、本実施形態に係る液晶表示装置の構成、当該液晶表示装置に含まれる表示部及び画像処理部の構成については、前述した第１の実施形態と同様であるため、適宜、図１、図２及び図７等を用いて説明する。また、以下の説明においては、前述した第１の実施形態と同様の部分についてはその詳しい説明を省略し、当該第１の実施形態と異なる部分について主に述べる。
【０１５２】
本実施形態に係る液晶表示装置１０は、撮像部１１に含まれるイメージセンサから出力される画像信号（の形式）が前述した第１の実施形態とは異なる。
【０１５３】
本実施形態においては、前述した第１の実施形態と同様に、イメージセンサが高感度モードで駆動する（つまり、露光時間が１／１２０ｓである）場合には１２０Ｈｚプログレッシブ駆動により画像が表示され、イメージセンサが高速モードで駆動する（つまり、露光時間が１／２４０ｓである）場合には２４０Ｈｚインターレース駆動により画像が表示されるものとする。
【０１５４】
なお、本実施形態における１２０Ｈｚプログレッシブ駆動については、前述した第１の実施形態において説明した通りであるため、その詳しい説明を省略する。
【０１５５】
以下、図１６を参照して、本実施形態における２４０Ｈｚインターレース駆動について説明する。
【０１５６】
上記したように表示部１２が２４０Ｈｚインターレース駆動により画像を表示する場合、撮像部１１に含まれるイメージセンサは高速モードで駆動する。この場合、イメージセンサは、図１６に示すように、１／２４０ｓの露光時間毎に画像信号を出力する。
【０１５７】
ここで、本実施形態において、高速モードで駆動するイメージセンサは、１フレームの画像を表す画像信号の一部が間引かれた画像信号を出力する。具体的には、イメージセンサは、１フレームの画像を表す画像信号に含まれる複数のライン画像信号（１ライン目〜７６８ライン目のライン画像信号）のうち、例えば偶数ライン（２ライン目、４ライン目、６ライン目、…、７６８ライン目）のライン画像信号が間引かれた画像信号及び奇数ライン（１ライン目、３ライン目、５ライン目、…、７６７ライン目）のライン画像信号が間引かれた画像信号を交互に出力する。換言すれば、本実施形態において、イメージセンサは、インターレース駆動により画像信号を出力する（１ライン置きのライン画像信号を含む画像信号をラインを変えて交互に出力する）。
【０１５８】
なお、本実施形態において、イメージセンサは、高感度モードで駆動する場合、前述したように１フレームの画像を表す画像信号（１ライン目〜７６８ライン目のライン画像信号を含む画像信号）を出力する。換言すれば、本実施形態において、高感度モードで駆動するイメージセンサは、プログレッシブ駆動により画像信号を出力する（全てのラインのライン画像信号を含む画像信号を出力する）。
【０１５９】
ここでは、図１６に示すように、イメージセンサが１／２４０ｓ毎に画像信号Ｓ３−１，Ｓ３，Ｓ３＋１を順次出力するものとする。なお、これらの画像信号Ｓ３−１，Ｓ３，Ｓ３＋１はイメージセンサが高速モードで駆動している間に１／２４０ｓ毎に順次出力される複数の画像信号の一部であり、図１６においては、画像信号Ｓ３−１，Ｓ３，Ｓ３＋１以外の画像信号については省略されている。
【０１６０】
画像信号Ｓ３−１及びＳ３＋１は奇数ラインのライン画像信号が間引かれた画像信号（つまり、偶数ラインのライン画像信号を含む画像信号）であるものとし、画像信号Ｓ３は偶数ラインのライン画像信号が間引かれた画像信号（つまり、奇数ラインのライン画像信号）であるものとする。
【０１６１】
まず、画像信号Ｓ３−１が出力された１／２４０ｓ後にイメージセンサから画像信号Ｓ３が出力された場合を想定する。この場合、画像信号Ｓ３は、画像処理部１３に含まれる入力部１３１によって入力され、処理部１３３によって画像処理され、出力部１３４によって表示部１２に出力される。
【０１６２】
表示部１２は、出力部１３４によって出力された画像信号Ｓ３に含まれる奇数ライン（１ライン目、３ライン目、５ライン目、…、７６７ライン目）のライン画像信号を、対応する表示ライン（奇数表示ライン）に順次書き込む。
【０１６３】
なお、図示しないが、画像信号Ｓ３に含まれるライン画像信号が奇数表示ラインに書き込まれる際の充電時間（１表示ラインに対してライン画像信号を書き込む時間）は、前述した１２０Ｈｚプログレッシブ駆動における充電時間と実質同一とする。
【０１６４】
また、表示部１２によって画像信号Ｓ３（に含まれる各ライン画像信号）が書き込まれる表示ラインの数は、前述した１２０Ｈｚプログレッシブ駆動時に書き込まれる表示ライン数の１／２である。このため、表示部１２による画像信号Ｓ３に基づく書き込み動作は、１２０Ｈｚプログレッシブ駆動における書き込み動作が行われる時間（つまり、１／１２０ｓ）の１／２の時間（つまり、１／２４０ｓ）で完了する。
【０１６５】
次に、高速モードで駆動するイメージセンサは、画像信号Ｓ３が出力された１／２４０ｓ後に画像信号Ｓ３＋１を出力する。イメージセンサから画像信号Ｓ３＋１が出力された場合、当該画像信号Ｓ３＋１は、画像処理部１３に含まれる入力部１３１によって入力され、処理部１３３によって画像処理され、出力部１３４によって表示部１２に出力される。
【０１６６】
ここで、画像信号Ｓ３＋１は、上記したように偶数ライン（２ライン目、４ライン目、６ライン目、…、７６８ライン目）のライン画像信号を含む画像信号である。この場合、表示部１２は、出力部１３４によって出力された画像信号Ｓ３＋１に含まれる偶数ラインのライン画像信号を、対応する表示ライン（偶数表示ライン）に順次書き込む。
【０１６７】
なお、画像信号Ｓ３＋１に含まれるライン画像信号が偶数表示ラインに書き込まれる際の充電時間（つまり、１表示ラインに対してライン画像信号を書き込む時間）は、１２０Ｈｚプログレッシブ駆動における充電時間と実質同一である。
【０１６８】
この場合、表示部１２による画像信号Ｓ３＋１に基づく書き込み動作は、上記した画像信号Ｓ３に基づく書き込み動作の場合と同様に、１／２４０ｓで完了する。
【０１６９】
このように２４０Ｈｚインターレース駆動においては、画像信号Ｓ３及びＳ３＋１に基づく書き込み動作によって、１フレームの画像が表示される（つまり、全ての表示ラインに画像信号が書き込まれる）。すなわち、本実施形態における２４０Ｈｚインターレース駆動によれば１／１２０ｓで１フレームの画像が表示され、表示パネル１２２は、１２０Ｈｚのリフレッシュレートで駆動される（１／１２０ｓ毎に書き換えられる）。
【０１７０】
ここで、上記したように本実施形態における２４０Ｈｚインターレース駆動における充電時間は、１２０Ｈｚプログレッシブ駆動における充電時間と実質同一である。また、本実施形態における２４０Ｈｚインターレース駆動において、各表示ラインにおける応答時間（当該表示ラインとして配列されている複数の画素ＰＸに書き込まれた画像信号が当該画素ＰＸにおいて保持される時間）は、１／１２０ｓである。
【０１７１】
すなわち、本実施形態における２４０Ｈｚインターレース駆動においては、上記したイメージセンサが高感度モードで駆動する場合における１２０Ｈｚプログレッシブ駆動時と比較して、充電時間及び応答時間（すなわち、表示部１２が１フレームの画像を表示するための表示動作を行う期間）は変わらない。
【０１７２】
ここでは、イメージセンサから画像信号Ｓ３及びＳ３＋１が出力される場合における画像の表示制御（２４０Ｈｚインターレース駆動）について説明したが、高速モードで駆動している間にイメージセンサから他の画像信号が出力された場合についても同様の表示制御が実行される。
【０１７３】
なお、上記したようにイメージセンサがインターレース駆動により画像信号を出力する場合においても、図１７に示す本実施形態に対する比較例のように、例えば奇数ラインのライン画像信号及び当該ライン画像信号の各々をコピーした偶数ラインのライン画像信号（または偶数ラインのライン画像信号及び当該ライン画像信号の各々をコピーした奇数ラインのライン画像信号）を１フレームの画像を表す画像信号（つまり、１ライン目〜７６８ライン目の画像信号）として用いることにより、２４０Ｈｚプログレッシブ駆動を実現することは可能である。
【０１７４】
しかしながら、このような本実施形態に対する比較例によれば、イメージセンサの駆動モードを高感度モードから高速モードに変更し、表示部１２における駆動を１２０Ｈｚプログレッシブ駆動から２４０Ｈｚプログレッシブ駆動とした場合に、充電時間及び応答時間を変更する必要があり、液晶表示装置における負荷が増加する。
【０１７５】
上記したように本実施形態において、イメージセンサは、高感度モード（第１のモード）で駆動する場合にはプログレッシブ駆動により画像信号を出力し、高速モード（第２のモード）で駆動する場合にはインターレース駆動により画像信号を出力する。
【０１７６】
イメージセンサが高速モードで駆動する場合、表示部１２は、先に出力された画像信号Ｓ３に基づいてライン画像信号を奇数表示ラインに書き込み、後に出力された画像信号Ｓ３＋１に基づいてライン画像信号を偶数表示ラインに書き込むことによって、１フレームの画像を表示する。
【０１７７】
このような構成によれば、前述した第１の実施形態と同様に、イメージセンサの駆動モードが高感度モードである場合と高速モードである場合とで、表示部１２の表示動作における充電時間（１表示ラインに対して画像信号を書き込む時間）及び応答時間（表示ラインにおいて画像信号が書き換えられるまでの時間）を変更する必要がないため、当該変更に伴う処理の複雑化（つまり、負荷の増加）を回避することが可能となる。
【０１７８】
更に、本実施形態における２４０Ｈｚインターレース駆動によれば、前述した第１の実施形態と同様に、１２０Ｈｚプログレッシブ駆動と同等の負荷で、当該１２０Ｈｚプログレッシブ駆動よりも高い動画性能を実現することが可能となる。
【０１７９】
なお、本実施形態においては、２４０Ｈｚインターレース駆動時にイメージセンサからインターレース駆動により画像信号が出力されることにより、表示部１２における書き込み動作において当該画像信号をそのまま用いることが可能であるため、前述した第２の実施形態と比較して、液晶表示装置１０における負荷を低減することが可能となる。
【０１８０】
以上述べた少なくとも１つの実施形態によれば、画像の表示制御を適切に行うことが可能な液晶表示装置を提供することができる。
【０１８１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。  
【符号の説明】
【０１８２】
１０…液晶表示装置、１１…撮像部、１２…表示部、１３…画像処理部、１２１…信号処理部、１２２…表示パネル、１２３…パネル駆動部、１２３ａ…信号出力回路、１２３ｂ…走査回路、１２４…光源装置、１２５…光源駆動部、１３１…入力部、１３２…判定部、１３３…処理部、１３４…出力部。
【図１】
2018097074.tif 000003
【図２】
2018097074.tif 000004
【図３】
2018097074.tif 000005
【図４】
2018097074.tif 000006
【図５】
2018097074.tif 000007
【図６】
2018097074.tif 000008
【図７】
2018097074.tif 000009
【図８】
2018097074.tif 000010
【図９】
2018097074.tif 000011
【図１０】
2018097074.tif 000012
【図１１】
2018097074.tif 000013
【図１２】
2018097074.tif 000014
【図１３】
2018097074.tif 000015
【図１４】
2018097074.tif 000016
【図１５】
2018097074.tif 000017
【図１６】
2018097074.tif 000018
【図１７】
2018097074.tif 000019